【手続補正書】
【提出日】平成16年10月1日(2004.10.1)
【手続補正１】
【補正対象書類名】明細書
【補正対象項目名】発明の名称
【補正方法】変更
【補正の内容】
【発明の名称】画像記録装置および画像記録装置の調整方法
【手続補正２】
【補正対象書類名】明細書
【補正対象項目名】特許請求の範囲
【補正方法】変更
【補正の内容】
【特許請求の範囲】
【請求項１】
光ビームを発生させる光源と、
供給された画像信号によって前記光源を点滅駆動させる光源駆動手段と、
前記光源駆動手段に与えられる画像信号を補正する画像信号補正手段と、
前記光源から発した光ビームによって記録材料上に形成される光点を主走査方向及び副走査方向に相対的に移動させることにより該記録材料上に複数のドットからなる二次元画像を記録する画像記録装置であって、
前記記録材料に対する画像記録に影響を与える第１要因および／または画像記録済みの記録材料の処理に影響を与える第２要因を入力する入力手段と、
前記入力手段により入力される第１要因および／または第２要因に基づいて、前記画像信号補正手段に対して発光タイミング補正信号を供給すると共に、前記光源駆動手段に対して光量設定信号を供給する調整信号生成手段とを備えたことを特徴とする画像記録装置。
【請求項２】
前記調整信号生成手段は、前記第１要因および／または前記第２要因と、前記発光タイミング補正信号と、前記光量設定信号と、を対応づけて記憶するメモリと、
前記入力手段から供給される第１要因および／または前記第２要因を基に、前記メモリから前記発光タイミング補正信号と前記光量設定信号とを読み出し、発光タイミング信号を画像信号補正手段に、光量設定信号を光源駆動手段に供給する制御手段とを含むことを特徴とする請求項１記載の画像記録装置。
【請求項３】
前記画像記録済みの記録材料の処理は、画像記録済み記録材料の現像作業であり、前記第２要因には前記現像作業で使用される現像液の感度を示す値が含まれることを特徴とする請求項１または請求項２いずれかに記載の画像記録装置。
【請求項４】
前記記録材料は光ビームにより発生する熱に反応して画像が記録される感熱材料であることを特徴とする請求項１乃至請求項３のいずれかの請求項に記載の画像記録装置。
【請求項５】
前記第１要因および前記第２要因は、いずれも前記二次元画像を構成する前記ドットのサイズに影響を与える要因であることを特徴とする請求項１記載の画像記録装置。
【請求項６】
光スポットを主走査方向および副走査方向に相対的に移動させることによって、複数のドットからなる二次元画像を記録材料上に記録する画像記録装置であって、
光ビームを発生させる光源と、
供給された画像信号によって前記光源を点滅駆動させる光源駆動手段と、
前記光源駆動手段に与えられる画像信号を補正する画像信号補正手段と、
前記ドットのサイズに影響を与える要因に関する情報を入力する入力手段と、
前記入力手段によって入力された情報に応じて、互いに対応づけられた発光タイミング補正信号と光量調整信号とを生成し、前記発光タイミング補正信号を前記画像信号補正手段に供給するとともに前記光量調整信号を前記光源駆動手段に供給する設定手段とを有する画像記録装置。
【請求項７】
前記設定手段は、前記ドットのサイズに影響を与える要因に関する情報と前記発光タイミング補正信号と光量調整信号とを互いに対応づけて記憶するメモリを有することを特徴とする請求項６記載の画像記録装置。
【請求項８】
光ビームを発生させる光源と、供給された画像信号によって前記光源を点滅駆動させる光源駆動手段と、前記光源駆動手段に与えられる画像信号を補正する画像信号補正手段と、前記光源から発した光ビームによって記録材料上に形成される光点を主走査方向および副走査方向に相対的に移動させることにより該記録材料上に複数のドットからなる２次元画像を記録する画像記録装置の調整方法であって、
前記記録材料上に形成されるドットのサイズに影響を与える要因が変化した際に、前記ドットが適正な副走査方向サイズを有するように前記光源駆動手段に対して光量設定信号を供給して前記光源から発生する光ビームの光量を調整するドットの副走査方向サイズ調整工程と、
適正な副走査方向サイズのドットが達成された後、前記ドットが適正な主走査方向サイズが得られるように前記画像信号補正手段によって前記画像信号を補正して前記光源の１ドット当たりの点灯時間を増減させるドットの主走査方向サイズ調整工程と、を備えた画像記録装置の調整方法。
【請求項９】
前記ドットの主走査方向サイズ調整工程においては、前記ドットの副走査方向サイズ調整工程後に存在する前記ドットの主走査方向サイズの偏差を前記光点の主走査速度で除した得られる値に基づいて前記光源の１ドット当たりの点灯時間を増減させることを特徴とする請求項８記載の画像記録装置の調整方法。
【手続補正３】
【補正対象書類名】明細書
【補正対象項目名】０００１
【補正方法】変更
【補正の内容】
【０００１】
【発明の属する技術分野】
この発明は、光ビームを記録材料上に照射することにより画像を記録する画像記録装置および画像記録装置の調整方法に関する。
【手続補正４】
【補正対象書類名】明細書
【補正対象項目名】００１３
【補正方法】変更
【補正の内容】
【００１３】
請求項４に記載の発明によれば、感熱材料を記録材料として使用した場合であっても、適正なサイズのドットが形成されるように画像記録を行うことが可能である。
請求項５に記載の発明は、請求項１に記載の発明において、前記第１要因および前記第２要因は、いずれも前記二次元画像を構成する前記ドットのサイズに影響を与える要因であることを特徴とする。
請求項６に記載の発明は、光スポットを主走査方向および副走査方向に相対的に移動させることによって、複数のドットからなる二次元画像を記録材料上に記録する画像記録装置であって、光ビームを発生させる光源と、供給された画像信号によって前記光源を点滅駆動させる光源駆動手段と、前記光源駆動手段に与えられる画像信号を補正する画像信号補正手段と、前記ドットのサイズに影響を与える要因に関する情報を入力する入力手段と、前記光源の１ドット当たりの点灯時間を調整する調整手段と、前記入力手段によって入力された情報に応じて、互いに対応づけられた発光タイミング補正信号と光量調整信号とを生成し、前記発光タイミング補正信号を前記画像信号補正手段に供給するとともに前記光量調整信号を前記光源駆動手段に供給する設定手段とを有する画像記録装置である。
請求項７に記載の発明は、請求項６に記載の発明において、前記設定手段が、前記ドットのサイズに影響を与える要因に関する情報と前記発光タイミング補正信号と光量調整信号とを互いに対応づけて記憶するメモリを有することを特徴とする。
請求項８に記載の発明は、光ビームを発生させる光源と、供給された画像信号によって前記光源を点滅駆動させる光源駆動手段と、前記光源駆動手段に与えられる画像信号を補正する画像信号補正手段と、前記光源から発した光ビームによって記録材料上に形成される光点を主走査方向および副走査方向に相対的に移動させることにより該記録材料上に複数のドットからなる２次元画像を記録する画像記録装置の調整方法であって、前記記録材料上に形成されるドットのサイズに影響を与える要因が変化した際に、前記ドットが適正な副走査方向サイズを有するように前記光源駆動手段に対して光量設定信号を供給して前記光源から発生する光ビームの光量を調整するドットの副走査方向サイズ調整工程と、適正な副走査方向サイズのドットが達成された後、前記ドットが適正な主走査方向サイズが得られるように前記画像信号補正手段によって前記画像信号を補正して前記光源の１ドット当たりの点灯時間を増減させるドットの主走査方向サイズ調整工程と、を備えた画像記録装置の調整方法である。
請求項９記載の発明は、請求項８に記載の発明において、前記ドットの主走査方向サイズ調整工程においては、前記ドットの副走査方向サイズ調整工程後に存在する前記ドットの主走査方向サイズの偏差を前記光点の主走査速度で除した得られる値に基づいて前記光源の１ドット当たりの点灯時間を増減させることを特徴とする。